(57)【要約】【課題】  歴史案内板等の案内板を画像データ化し、その画像データが入り口となってネットの世界のようなバーチャルの世界（デジタル）でも活用されることを目的とする。【解決手段】  歴史案内板等の案内板の画像データを保持する案内板システム１は、案内板の画像データが地図情報上の実際の存在する位置に紐付けられており、ユーザの端末１３に、案内板に地図が含まれている場合には地図の中での現在地及び目的地までの経路を表示可能であり、実際に移動した経路に沿って案内板の画像データが自動的にピックアップされ、ユーザの端末１３によって、案内板に地図が含まれている場合には地図も含めて編集を可能にしている。【選択図】  図１
2018077439.tif 000002
【特許請求の範囲】
【請求項１】
案内板の画像データを保持する案内板システムであって、
前記案内板の画像データが地図情報上の実際の存在する位置に紐付けられており、
ユーザの端末に、前記案内板に地図が含まれている場合には前記地図の中での現在地及び目的地までの経路を表示可能であり、
実際に移動した経路に沿って前記案内板の画像データが自動的にピックアップされ、ユーザの端末によって、前記案内板に地図が含まれている場合には前記地図も含めて編集を可能にした、案内板システム。
【発明の詳細な説明】
【技術分野】
【０００１】
本発明は、案内板システムに関し、実際の歴史案内板等の案内板を撮像した画像データを用いる案内板システムに関する。
【背景技術】
【０００２】
観光地などには歴史案内板があり、日本中で見ると、さらに世界中で見ると、実に多くの歴史案内板がある。現状、歴史案内板は、実際に現場に行った方が、その歴史案内板の現物を見て、現場の状況を理解するために用いられている。
【０００３】
一方、歴史案内板にもイラスト等で描かれた地図が掲載されていることもあるが、地図の活用は進んでおり、古地図のような地図に対して、現在地を表示する、或いは経路探索するなどの技術が開発されてきた（特許文献１〜５参照）。
【先行技術文献】
【特許文献】
【０００４】
【特許文献１】特開２０１１−１１２３６４号公報
【特許文献２】特開２０１１−４３７８８号公報
【特許文献３】特開２０１１−１５８５１８号公報
【特許文献４】特開２０１１−１５４１７２号公報
【特許文献５】特開２０１３−１０９０４９号公報
【発明の概要】
【発明が解決しようとする課題】
【０００５】
しかしながら、歴史案内板は、地図という概念とは異なり、あくまでも現場で見ることを前提にしており、ネットの世界のようなバーチャルの世界（デジタル）で活用するものではなく、リアルな現実の世界（アナログ）でのみで活用されるものという存在でしかないのが実情である。
【０００６】
ゆえに、本発明は、歴史案内板等の案内板を画像データ化し、その画像データが入り口となってネットの世界のようなバーチャルの世界（デジタル）でも活用されることを目的とする。
【課題を解決するための手段】
【０００７】
本発明の第１の観点は、案内板の画像データを保持する案内板システムであって、前記案内板の画像データが地図情報上の実際の存在する位置に紐付けられており、ユーザの端末に、前記案内板に地図が含まれている場合には前記地図の中での現在地及び目的地までの経路を表示可能であり、実際に移動した経路に沿って前記案内板の画像データが自動的にピックアップされ、ユーザの端末によって、前記案内板に地図が含まれている場合には前記地図も含めて編集を可能にしたものである。ここで、案内板としては、例えば歴史案内板が具体例としては挙げられる。そして、ピックアップされたものから選択されて編集されたものは、マイガイドブックとしての自身の利用だけでなく、有償又は無償で他のユーザにガイドブックとして配布することができるようになる。
【０００８】
なお、上記地図情報上で、現在地を表示し、或いは経路探索等を可能としてもよい。さらに、案内板に地図が掲載されていたならば、その案内板の中の地図の上で、上記したように、現在地を表示し、或いは経路探索等をできるようにしてもよく、さらにはその地図内に存在する案内板の画像データを見ることができるようにしてもよい。
【０００９】
また、上記したように、実際に移動した経路に沿って案内板の画像データを編集できるようにしてもよく、その際には地図が含まれた案内板との関係を明らかにした形で編集できるようにしてもよく、さらに、探索された経路に沿った編集の他、何らかの検索結果に基づいて、案内板の画像データを編集できるようにしてもよい。
【発明の効果】
【００１０】
このような発明によって、案内板はネットの世界のようなバーチャルの世界（デジタル）でも活用されることになり、今までの現場に実際に人が来ることを待っていた案内板（アナログ）が人を集める案内板に変わることになり、案内板を通じた人と人との繋がりや人と地域の繋がりを進めることができる。
【図面の簡単な説明】
【００１１】
【図１】本発明の実施の形態における案内板システムの概略ブロック図である。
【図２】ユーザが端末を使った場合の使用イメージを説明するための第１の図であって「出張帰りの余った時間で装飾古墳を見にいきたい」ときの使用イメージを説明する図である。
【図３】ユーザが端末を使った場合の使用イメージを説明するための第２の図であって「初めての土地。イラストマップで現在地を確認できたら」というときの使用イメージを説明する図である。
【図４】ユーザが端末を使った場合の使用イメージを説明するための第３の図であって「ブックスタンドで雑誌を探して購読できる」という使用イメージを説明する図である。
【図５】ユーザが端末を使った場合の使用イメージを説明するための第４の図であって「案内板データをコレクションしてＭｙガイドブックを創ることができる」という使用イメージを説明する図である。
【発明を実施するための形態】
【００１２】
以下に本発明の実施の形態について図面を参照して詳細に説明するが、本発明はこれに限定されるものではない。
【００１３】
図１は本発明の実施の形態における案内板システムの概略ブロック図である。
【００１４】
案内板システム１は、歴史案内板に関するシステムであり、地域にある案内板についての情報を収集し、配信するシステムである。案内板システム１は、管理装置３を備え、管理装置３と情報通信ネットワーク１１を介して接続する自治体端末５、専門家端末７、会員端末９、会員端末１３、一般人（非会員）端末１５も備えている。管理装置３は、案内板情報部３１、地図情報部３３、検索部３５、閲覧部３７、寄付部３９、公開部４１、補正部４３、ルーツ部４５、旧国名部４７、配信部４９、電子雑誌部５１、定期購読部５３を備えている。会員端末１３は、表示部５５、検索部５７、提示部５９、閲覧部６１、ポイント部６３、公募対応部６５、ポイント交換部６７、寄付部６９、補正表示部７１、旧国名部７３、イベント提示部７５、電子雑誌部７７、編集部７９を備えている。以下、情報の収集等と配信とについて分けて説明する。
【００１５】
まず、情報の収集・整理・閲覧・公開等について説明する。ここでの想定されるユーザは自治体、専門家、会員である。情報収集等は、自治体によって自治体端末５から情報が管理装置３に入力され、専門家によって専門家端末７から情報が管理装置３に入力され、会員によって会員端末９から情報が管理装置３に入力されて行われる。なお、図示はしていないが、管理装置３を管理する管理者が使用する管理端末を用いて管理者が情報を入力してもよい。また、管理装置３が有している機能については、全ての機能を管理装置３が必ずしも有する必要はなく、クラウドコンピューティングにより、自治体端末５、専門家端末７、会員端末９側に機能を持たせてもよい。
【００１６】
案内板情報部３１は、案内板情報として、案内板の写真データ（画像データ）、案内板がある位置情報、案内板名を登録する機能を有している。ここで、案内板の写真に付与されたＥｘｉｆ情報や、案内板情報を収集した場所に関する情報を用いて、地図からの位置情報付加を容易にする工夫をすることが好ましい。特に、自治体のような行政が使い易いように、画像データのそれぞれにはＵＲＬが与えられると、行政は編集素材として活用できるようになり、行政が自由に行政サイト上で使えるようになる。
【００１７】
案内板情報部３１は、案内板情報に対して、分類情報、時間情報ならびに付加情報（タグ情報）を付与する機能も有している。ここで、ユーザに対し、収集した案内板情報のうち、時間情報ならびに付加情報が付与されていないもの、付与されているものの不確実なものに対して、時間情報ならびに付加情報を付与する管理機能を提供するとよい。その際、「自分が撮影したもの」「周辺で撮影されたもの」「すでに与えられている付加情報」等の条件から検索または類推して、次に時間情報ならびに付加情報を付与するべき案内板情報の一覧をユーザに提供するとよい。
【００１８】
案内板情報部３１は、案内板情報として、不適切な情報や、プライバシー、著作権に関わる情報を排除する機能も有している。ここで、ユーザに対し、収集した案内板情報のうち、不適切な情報や、プライバシー、著作権に関わる情報を削除または不可視にする管理機能を提供するとよい。この際、画像解析技術を用いて、案内板の写真から構成要素としての文字情報・写真・図案を抽出し、それぞれの構成要素について適不適をユーザが判断する機能を提供するとよい。また、過去のユーザの判断条件を学習し、不適である可能性のある構成要素を抽出し、判断候補としてユーザに提示する機能を提供するとよい。
【００１９】
案内板情報部３１は、案内板情報の文字化を実施する機能も有している。案内板情報部３１は、案内板情報の翻訳を実施する機能も有している。ここで、抽出した構成要素のうち、文字情報に関して、ユーザが写真に記録された文字を電子的にテキスト化し、翻訳を行う機能を提供するとよい。また、ＯＣＲ及び機械翻訳の機能を用いて自動的に認識及び翻訳を実施する機能と、ユーザが自動認識・翻訳された文章に対する公正を実施する機能を提供するとよい。この際、ユーザに対して自分の近隣であったり、興味のある付加情報を有するものであったり、過去にテキスト化や翻訳を実施したものに関連する案内板情報を優先的に提示する機能を提供するとよい。
【００２０】
案内板情報部３１は、上記の作業を特定の人物に対して依頼または公募する機能も有している。案内板情報部３１は、システムへの貢献に対して、システムが定めるポイントをユーザに付与する機能も有している。
【００２１】
地図情報部３３は、案内板情報を地図上にその案内板が存在する位置に表示する機能を有している。案内板の写真に付与されたＥｘｉｆ情報や、案内板情報を収集した場所に関する情報を用いて、地図からの位置情報付加を容易にする工夫をすることが好ましい。検索部３５は、案内板情報を場所、分類情報、付加情報を用いて検索する機能を有している。閲覧部３７は、案内板情報の訪問、利用履歴を閲覧する機能を有している。
【００２２】
寄付部３９は、本システム１を用いて寄せられた寄付の分配と管理とを行う機能を有している。
【００２３】
公開部４１は上記のように収集された案内板情報を自治体ＷＥＢページやオンデマンド印刷等を用いて広く公開する機能を有している。ここで、本システム１にアップロードされた案内板情報ならびに関連情報を、ユーザや権利者の許諾を前提として、一定の条件下で他のシステムで利用する機能を提供するとよい。これにより、自治体の文化財管理ＷＥＢページや観光案内ページ等で案内板情報を閲覧可能にするなど公的サービスの向上に寄与するほか、他のサービスとのシナジー効果を期待することができる。
【００２４】
補正部４３は、案内板のうち地図情報を持つものについて、当該案内板がもつ地図情報と現実の位置情報との対応付けを行い、補正を行う機能を有している。
【００２５】
ルーツ部４５は、旧国名など、ユーザの現在から過去に及ぶ複数のルーツを記録し、また分類し、それらに基づく観光案内や、統計情報の収集を実施する機能を有している。旧国名部４７は、ユーザが入力した旧国名等の過去の地域情報と、現在の住所または郵便番号を対応付けることで、旧国名等を検索するデータベースを自動作成する機能を有している。
【００２６】
配信部４９は、近隣のイベント等の開催情報を、関連する案内板と、開催日時を用いて記録し、対象ユーザを設定して配信する機能を有している。
【００２７】
電子雑誌部５１は、ユーザが収集した案内板情報を用い、特定の興味や知見、属性によって集めたものを電子雑誌として編集し、有償または無償で頒布できる機能を有している。定期購読部５３は、電子雑誌の定期購読を実現する機能を有している。
【００２８】
次に、情報の配信について説明する。ここでのユーザとしては会員や一般人が想定され、会員は会員端末１３を用いて配信された案内板情報を閲覧・訪問し、一般人は一般人（非会員）端末１５を用いて配信された案内板情報を閲覧・訪問する。以下は、会員端末１３が有する機能を説明するが、図示を省略するが一般人（非会員）端末１５が有する機能でもある。また、会員端末１３が有する機能の全てを会員端末１３側で有する必要は必ずしもなく、グリッドコンピューティングにより、管理装置３に持たせてもよい。
【００２９】
表示部５５は、案内板情報を地図上に表示する機能を有する。検索部５７は、案内板情報を場所、分類情報、付加情報を用いて検索する機能を有する。提示部５９は、実際に案内板のある場所を訪問した際に自動的に案内板情報を提示する機能を有する。
閲覧部６１は、訪問履歴を閲覧する機能を有する。
【００３０】
ポイント部６３は、訪問履歴等に対してシステムが定めるポイントを受け取る機能を有する。公募対応部６５は、案内板情報部３１によって募集された作業を実施し、システムが定めるポイントを受け取る機能を有する。ポイント交換部６７は、集めたポイントを換金または商品と交換する機能を有する。
【００３１】
寄付部６９は、特定の案内板や分類、付加情報、地域を対象に寄付を行う機能を有する。
【００３２】
補正表示部７１は、案内板のうち地図情報を持つものについて、補正部４３が行った補正情報に基づき、当該案内板がもつ地図情報の上に現実の現在位置や案内板の位置情報を重ねて表示する機能を有する。さらに、補正表示部７１は、案内板のうち地図情報を持つものについて、補正部４３が行った補正情報に基づき、当該案内板がもつ地図情報の上に目的地までのルートを表示する機能を有する。
【００３３】
旧国名部７３は、ユーザが現在の住所や郵便番号を入力することで、五畿七道に由来する旧国名や、旧藩名を取得する機能を有する。また、旧国名部７３は、世界における旧国名や地域名等を検索、取得する機能を有する。
【００３４】
イベント提示部７５は、現在位置や訪問先を元に、近隣のイベント等の開催情報を受信し、ユーザに提示する機能を有する。
【００３５】
電子雑誌部７７は、ユーザが自分の興味や場所に基づいて電子雑誌を取得し、電子雑誌に含まれる案内板情報を、地図上やリスト形式で閲覧し、訪問する機能を有する。編集部７９は、ユーザが自分の興味に基づく検索や、自分の訪問履歴などを基に、自分だけの案内板情報を集めた電子雑誌を作成する機能を有する。
【００３６】
以下、各機能について、さらに補足する。
【００３７】
上記ポイント部６３の機能及び公募対応部６５の機能と、案内板情報部３１の機能のうちポイント部６３及び公募対応部６５とも関係する、上記の作業を特定の人物に対して依頼または公募する機能、及び、システムへの貢献に対して、システムが定めるポイントをユーザに付与する機能とについて、以下、少し補足する。案内板情報部３１の他の機能について、ユーザが有償または無償で案内板情報を収集または管理する機能を提供するとよい。また、別のユーザ（特に自治体）が、特定または不特定多数のユーザに対して案内板情報の収集や管理を依頼する機能を提供するとよい。また、ユーザの自発的な情報収集・管理や、ユーザからの依頼を行う際に、過去のユーザの収集・管理履歴を元に類似度の高い案内板情報を推薦するマッチング機能を提供するとよい。この際、報酬としてシステム内ポイントの授受を可能とするとよい。
【００３８】
地図情報部３３及び検索部３５並びに表示部５５及び検索部５７について、補足する。本システム１は、収集、管理した案内板情報を地図上、時間軸上、あるいは関連する分類や付加情報に応じて適切に絞り込んで画面または印刷物として出力する機能を提供するようにしている。
【００３９】
閲覧部３７及び提示部５９について、補足する。 本システム１は、ユーザの位置情報を元に、案内板情報の位置情報に近づいたユーザに対して案内内容を提示する機能を提供する。また、提供した場所と日時を記録することにより、ユーザの訪問履歴を記録し、ユーザの許諾のもとに統計情報として情報提供を行う機能を提供する。
【００４０】
寄付部３９及び寄付部６９について、補足する。本システム１は、ユーザから特定の場所、興味のある分類、地域に対して寄付を受け付け、分配する機能を有する。地域、場所、興味に応じて寄付先を指定できる機能を提供するとともに、対象を定めない寄付を受領した場合に、訪問履歴などを元に寄付を分配する機能を提供する。また、本システム１における寄付には、実際の通貨のほか、本システムのポイントを対象とすることもできる。
【００４１】
図２は、ユーザが端末を使った場合の使用イメージを説明するための第１の図であって「出張帰りの余った時間で装飾古墳を見にいきたい」ときの使用イメージを説明する図である。図２（Ａ）は装飾古墳で検索した場合の画面イメージを示した図であり、図２（Ｂ）は「今の場所から○○ｋｍ以内」で絞り込みをした場合の画面イメージを示した図であり、図２（Ｃ）は近くにある案内板を教えてくれる画面イメージを示した図であり、図２（Ｄ）は案内板をクリックして案内板の画像データが表示された状態の画面イメージを示した図である。このように、案内板が画像データ化され、案内板の画像が入り口になってネットのようなデジタルの世界での活用されることになる。
【００４２】
図３は、ユーザが端末を使った場合の使用イメージを説明するための第２の図であって「初めての土地。イラストマップで現在地を確認できたら」というときの使用イメージを説明する図である。図３（Ａ）は近くの案内板を検索した場合の画面イメージを示した図であり、図３（Ｂ）は検索された結果として近くにある案内板を教えてくれる画面イメージを示した図であり、図３（Ｃ）は案内板をクリックして案内板の画像データが表示された状態の画面イメージを示した図であり、図３（Ｄ）は案内板に記載されたイラストの地図をダウンロードして画面表示した状態を示した図である。このように、案内板のイラストの地図も表示され、端末のＧＰＳ機能を使いつつ、緯度及び経度に基づいて作成された図３（Ａ）等の地図とイラストの地図との間での補正も行われた上で、このイラストの地図の中での現在位置が示されるとともに、経路探索も可能になっている。その結果、案内板自体はアナログのリアルな現実なものであるが、デジタル化された世界としての案内板のイラストの地図の中にユーザが入った感覚を持ちながら、リアルの観光・歴史などを楽しめる。特に、図３（Ａ）等の地図では表現されていないが、案内板のイラスト地図では示されている情報を見ながら楽しめるので、より現場での観光・歴史などを感じ取れるようになる。
【００４３】
図４は、ユーザが端末を使った場合の使用イメージを説明するための第３の図であって「ブックスタンドで雑誌を探して購読できる」という使用イメージを説明する図である。図４（Ａ）はブックスタンドについて画面イメージを示した図であり、図４（Ｂ）は「中国」を選択した場合の画面イメージを示した図である。このような状況は、電子雑誌部５１及び電子雑誌部７７の機能によって可能になっており、図４（Ａ）に示している定期購読は定期購読部５３の機能によって可能になっている。
【００４４】
図５は、ユーザが端末を使った場合の使用イメージを説明するための第４の図であって「案内板データをコレクションしてＭｙガイドブックを創ることができる」という使用イメージを説明する図である。このＭｙガイドブックは、ユーザが検索等してピックアップした案内板データを編集して創ることができるようにすればよい。さらに、例えば、図４（Ａ）の地図又は図４（Ｄ）の地図において実際の移動経路に沿って、案内板データが自動的にピックアップされるようにしておき、ユーザが、そのままガイドブックを編集でき、或いは、実際に見たものや、気にいったものなどを選択し、ユーザによるオリジナルのガイドブックを編集できるようにしてもよい。この場合には、実際に現場に行った目線での１つの案内板の情報というとよりも、案内板同士の関係（案内板の掲載されたイラスト地図との関係を含む）も踏まえたルートに合ったガイドブックが編集されることになり、自身だけでなく、他のユーザにとっても感覚が合うガイドブックが提供されることになる。
【符号の説明】
【００４５】
１・・・案内板システム、３・・・管理装置、５・・・自治体端末、７・・・専門家端末、９,１３・・・会員端末、１１・・・情報通信ネットワーク、１５・・・一般人（非会員）端末、３１・・・案内板情報部、３３・・・地図情報部、３５・・・検索部、３７・・・閲覧部、３９・・・寄付部、４１・・・公開部、４３・・・補正部、４５・・・ルーツ部、４７・・・旧国名部、４９・・・配信部、５１・・・電子雑誌部、５３・・・定期購読部、６５・・・表示部、５７・・・検索部、５９・・・提示部、６１・・・閲覧部、６３・・・ポイント部、６５・・・公募対応部、６７・・・ポイント交換部、６９・・・寄付部、７１・・・補正表示部、７３・・・旧国名部、７５・・・イベント提示部、７７・・・電子雑誌部、７９・・・編集部７９
【図１】
2018077439.tif 000003
【図２】
2018077439.tif 000004
【図３】
2018077439.tif 000005
【図４】
2018077439.tif 000006
【図５】
2018077439.tif 000007